(57)【要約】      （修正有）【課題】人力によらずに機械動力で自動連続で動作する魚の飼料放出機の提供。【解決手段】魚の飼料放出機は、主に、殻体、右側蓋、主伝動軸、左側蓋、モーター、右軸承座、副伝動軸、左軸承座、調整カバー、漏斗素子、及び、固定板等の素子からなり、モーターの回転軸により、主伝動軸を駆動してファンブレードを帯動し、同時に、主伝動軸の伝動ギアにより減速ギアユニットを駆動し、副伝動軸と導料棒を帯動する。導料棒間は弁の突柱を抵触し、弁が作動を持続して、漏斗素子内部の飼料を放入口から小管体内に落入し、更に、副伝動軸の導料棒が前に輸送して、前チャンネルから大管体内に落入し、ファンブレードの急速旋転により飼料を出口から自動連続放出する。【選択図】図２
0003131848.tif 000002
【実用新案登録請求の範囲】
【請求項１】
魚の飼料放出機であって、主に、殻体、右側蓋、主伝動軸、左側蓋、モーター、右軸承座、副伝動軸、左軸承座、調整カバー、漏斗素子、及び、固定板等の素子からなり、
前記殻体は隣接設置した大管体と小管体からなり、前記大管体内部は穿孔を有する隔板を有し、周壁一側は導料槽を延伸する出口で、且つ、前記大管体と前記小管体の相隣箇所に前チャンネルと後チャンネルを設置し、また、前記小管体上方に放入口を設置し、前記放入口外側二方に螺紋柱を固設し、
前記右側蓋底部は平面脚座を湾曲し、周辺の適切な箇所に開口が上向けのフックを有し、中央にベアリングを設置し、一側は多数のギアを有する減速ギアユニットを枢設し、前記殻体の大管体右側端に蓋合し、且つ、前記ベアリングと前記減速ギアユニットは前記大管体の内部に設置され、
前記主伝動軸中部に伝動歯を設置し、前記大管体内径より小さいファンブレードを有し、前記主伝動軸は隔板上の穿口を穿過し、前記右側蓋のベアリング中に挿入されて結合し、
前記左側蓋底部は平面脚座を湾曲し、周辺の適切な箇所に開口が上向けのフックを有し、中央にベアリングを設置し、前記殻体の大管体左側端を蓋合し、且つ、前記ベアリングは前記主伝動軸の一端に枢接され、更に、長螺栓とナットにより前記右側蓋と前記左側蓋を大管体二端に鎖固し、
前記モーターは螺栓により前記右側蓋の外側面に鎖接され、回転軸が前記主伝動軸に挿接され、且つ、前記螺栓により固定され、DC１２Vの直流アンプを駆動動力源とし、
前記右側承座はねじにより前記殻体の小管体右側端に蓋合され、
前記副伝動軸の適当な位置に伝動ギアを設置し、その上に前記小管体の内径より小さい導料棒を設置し、前記副伝動軸は前記小管体に穿入され、更に、右軸承座中に挿入されて結合し、
前記左軸承座はねじにより前記殻体の小管体左側端に蓋合され、且つ、前記副伝動軸一端に枢接し、
前記調整カバーは門字型で、軸棒を固設し、前記軸棒とナットにより前記右側蓋のフックと前記左側蓋のフック間に枢組され、つまり、前記大管体の外周に位置し、且つ、前記調整カバーにより導料槽を蓋合し、
前記漏斗素子は左板、右板、前板、後板、及び、弁等の素子からなり、留め具により固定され、
前記左板と右板は相同の扇形状で、二側はヘムを有し、前記左板の底部に近いところに挿入孔を有し、
前記前板と後板は相同の扇形状で、頂面はヘムを有し、底部はノッチを有する弧翼を有し、
前記弁底面は突柱を固設し、
前記漏斗素子は前記前後板底部の弧翼により前記殻体の小管体頂部の進入口に組接され、且つ、蝶形ナットにより鎖定されると共に、前記左板の挿入孔で前記弁を置き入れ、左軸承座外側は止め具により前記固定板を固定し、前記固定板上方は調整ボタンとナットにより前記弁を鎖接し、調整ボタンを旋転させ弁を牽引して落料の多寡を設定し、
前記モーターを駆動させて、前記回転軸が前記主伝動軸を駆動して前記ファンブレードを帯動し、この時、前記主伝動軸の伝動歯が前記減速ギアユニットを駆動し、更に、前記伝動ギアにより副伝動軸と導料棒を帯動し、前記導料棒間は前記弁の突柱を抵触し、前記弁が動きを持続し、前記漏斗素子内中の飼料は進入口から小管体内に落入され、前記副伝動軸の導料棒により前に輸送し、前記前チャンネルから前記大管体内に落入し、前記主伝動軸のファンブレードにより急速回転させて、飼料を出口から連続して放出し、前記調整カバーの角度を調整して、放出する飼料の遠近距離を設定することができることを特徴とする魚の飼料放出機。
【考案の詳細な説明】
【技術分野】
【０００１】
本考案は魚の飼料放出機に関し、特に、機械の動力により魚の飼料を自動連続放出し、人力に頼らず餌を与えることができ、飼料で魚群を集めて捕獲率を高める機器に関する。
【背景技術】
【０００２】
近海船釣りとダムの筏釣りが開放され、フィッシング愛好家にとっての楽しみがやってくる。公知の魚を引き寄せる方法は、主に、餌をつけた釣り針を投げ入れ、手で飼料を撒き、飼料で魚群をおびきだして、捕獲確率を増加させている。しかし、手で飼料を投げ込むのは散布面積が広いので、精確に釣り針の付近に撒いて魚群を集めることができず、また、人力によりこれを行うのは時間がかなるので、釣りを楽しむ者の要求を満足させることができない。
【考案の開示】
【考案が解決しようとする課題】
【０００３】
本考案の目的は、魚の飼料放出機を提供することを目的とし、人力なしに飼料を自動放出し、公知の問題を解決することを目的とする。
【課題を解決するための手段】
【０００４】
本考案の魚の飼料放出機は、主に、殻体、右側蓋、主伝動軸、左側蓋、モーター、右軸承座、副伝動軸、左軸承座、調整カバー、漏斗素子、及び、固定板等の素子からなり、モーターの回転軸により、主伝動軸を駆動してファンブレードを帯動し、同時に、主伝動軸の伝動歯により減速ギアユニットを駆動して、副伝動軸と導料棒を帯動し、導料棒間は弁の突柱を抵触し、弁が作動を持続して、漏斗素子内部の飼料が放入口から小管体内に落入し、更に、副伝動軸の導料棒が前に輸送して、前チャンネルから大管体内に落入し、ファンブレードの急速旋転により飼料を出口から自動連続放出し、これにより、人力なしに飼料を放出することができる。
【考案の効果】
【０００５】
本考案の魚の飼料放出機は、機械の動力により魚の飼料を自動連続放出し、人力に頼らず餌を与えることができ、飼料で魚群を集めて捕獲率を高める。
【考案を実施するための最良の形態】
【０００６】
図１〜図３、図６、及び、図７で示されるように、本考案の「魚の飼料放出機」は、主に、殻体１０、右側蓋２１、主伝動軸２２、左側蓋２３、モーター３０、右軸承座４１、副伝動軸４２、左軸承座２３、調整カバー４４、漏斗素子５０、及び、固定板６１等の素子からなる。
【０００７】
殻体１０は隣接設置した大管体１１と小管体１２からなり、大管体11内部は穿孔１１１を有する隔板１１２を有し、周壁一側は導料槽１１３を延伸する出口１１４で、且つ、大管体１１と小管体１２の相隣箇所に前チャンネル１３と後チャンネル１４を設置し、また、小管体１２上方に放入口１２１を設置し、放入口１２１外側二方に螺紋柱１２２を固設する。
【０００８】
右側蓋２１底部は平面脚座２１１を湾曲し、周辺の適切な箇所に開口が上向けのフック２１２を有し、中央にベアリング２１３を設置し、一側は多数のギアを有する減速ギアユニット２１４を枢設し、殻体１０の大管体１１右側端に蓋合し、且つ、ベアリング２１３と減速ギアユニット２１４は大管体１１の内部に設置される。
【０００９】
主伝動軸２２中部に伝動歯２２１を設置し、大管体１１内径より小さいファンブレード２２２を有する。主伝動軸２２は隔板１１２上の穿口１１を穿過し、右側蓋２１のベアリング２１３中に挿入されて結合する。
【００１０】
左側蓋２３底部は平面脚座２３１を湾曲し、周辺の適切な箇所に開口が上向けのフック２３２を有し、中央にベアリング２３３を設置し、殻体１０の大管体１１左側端を蓋合し、且つ、ベアリング２３３は主伝動軸２２の一端に枢接され、更に、長螺栓２４とナット２４１により右側蓋２１と左側蓋２３を大管体１１二端に鎖固する。
【００１１】
モーター３０は螺栓３２により右側蓋２１の外側面に鎖接され、回転軸３１が主伝動軸２２に挿接され、且つ、螺栓２２３により固定され、DC１２Vの直流アンプを駆動動力源とする。
【００１２】
右側承座４１はねじ４１１により殻体１０の小管体１２右側端に蓋合される。
【００１３】
副伝動軸４２の適当な位置に伝動ギア４２１を設置し、その上に小管体１２の内径より小さい導料棒４２２を設置し、副伝動軸４２は小管体１２に穿入され、更に、右軸承座４１中に挿入されて結合する。
【００１４】
左軸承座４３はねじ４３１により殻体１０の小管体１２左側端に蓋合され、且つ、副伝動軸４２一端に枢接する。
【００１５】
調整カバー４４は門字型で、軸棒４４１を固設し、軸棒４４１とナット４４２により右側蓋２１のフック２１２と左側蓋２３のフック２３２間に枢組され、つまり、大管体１１の外周に位置し、且つ、調整カバー４４により導料槽１３を蓋合する。
【００１６】
図４〜図７で示されるように、漏斗素子５０は左板５１、右板５２、前板５３、後板５４、及び、弁５５等の素子からなり、留め具５６により固定する。
【００１７】
左板５１と右板５２は相同の扇形状で、二側はヘム５１１、５２１を有し、左板５１の底部に近いところに挿入孔５１２を有する。
【００１８】
前板５３と後板５４は相同の扇形状で、頂面はヘム５３１、５４１を有し、底部はノッチ５３２、５４２を有する弧翼５３３、５４３を有する。
【００１９】
弁５５底面は突柱５５１を固設する。
【００２０】
図５で示されるように、本考案の漏斗素子５０は前後板５３、５４底部の弧翼５３３、５４３により殻体１０の小管体１２頂部の進入口１２１に組接され、且つ、蝶形ナット５７により鎖定されると共に、左板５１の挿入孔５１２で弁５５を置き入れ、左軸承座４３外側は止め具６２により固定板６１を固定し、固定板６１上方は調整ボタン６３とナット６３１により弁５５を鎖接し、調整ボタン６３を旋転させ弁５５を牽引して落料の多寡を設定する。
【００２１】
以上は、本考案の魚の飼料放出機の各素子の関連構造と位置を説明したものである。
【００２２】
次に、本考案の魚の飼料放出機の効果と動作原理を説明する。
【００２３】
本考案の餌放出状態時、図８と図９で示されるように、モーター３０を駆動させて、回転軸３１が主伝動軸２２を駆動してファンブレード２２２を帯動し、この時、主伝動軸２２の伝動歯２２１が減速ギアユニット２１４を駆動し、更に、伝動ギア４２１により副伝動軸４２と導料棒４２２を帯動し、導料棒４２２間は弁５５の突柱５５１を抵触し、弁５５が動きを持続し、漏斗素子５０内中の飼料が進入口１２１から小管体１２内に落入され、副伝動軸４２の導料棒４２２により前に輸送し、前チャンネル１３から大管体１１内に落入し、主伝動軸２２のファンブレード２２２により急速回転させて、飼料を出口１１４から連続して放出する。
【００２４】
更に、図９と図１０で示されるように、本考案は調整カバー４４の角度を調整し、放出する飼料の遠近距離を設定することができる。
【図面の簡単な説明】
【００２５】
【図１】本考案の立体組み合わせ図である。
【図２】本考案の立体分解図である。
【図３】図２の局部立体分解図である。
【図４】本考案の漏斗素子の立体分解図である。
【図５】本考案の局部立体分解図である。
【図６】本考案の組み合わせ断面図である。
【図７】本考案のもう一つの視角立体組み合わせ図である。
【図８】本考案の動作図１である。
【図９】本考案の動作図２である。
【図１０】本考案の動作図３である。
【符号の説明】
【００２６】
１０  殻体
１１  大管体
１１１  穿孔
１１２  隔板
１１３  導料槽
１１４  出口
１２  小管体
１２１  進入口
１２２  螺紋柱
１３  前チャンネル
１４  後チャンネル
２１  右側蓋
２１１  脚座
２１２  フック
２１３  ベアリング
２１４  減速ギアユニット
２２  主伝動軸
２２１  伝動歯
２２２  ファンブレード        
２２３  螺栓
２３  左側蓋
２３１  脚座
２３２  フック
２３３  ベアリング
２４  長螺栓
２４１  ナット
３０  モーター
３１  回転軸
３２  螺栓        
４１  右軸承座
４１１  ねじ
４２  副伝動軸
４２１  伝動ギア
４２２  導料棒
４３  左軸承座
４３１  ねじ
４４  調整カバー
４４１  軸棒
４４２  ナット
５０  漏斗素子
５１  左板
５１１  ヘム
５１２  挿入孔
５２  右板
５２１  ヘム
５３  前板
５３１  ヘム
５３２  ノッチ
５３３  弧翼
５４  後板
５４１  ヘム
５４２  ノッチ
５４３  弧翼
５５  弁
５５１  突柱
５６  留め具
５７  蝶形ナット
６１  固定板
６２  留め具
６３  調整ボタン
６３１  ナット
【図１】
0003131848.tif 000003
【図２】
0003131848.tif 000004
【図３】
0003131848.tif 000005
【図４】
0003131848.tif 000006
【図５】
0003131848.tif 000007
【図６】
0003131848.tif 000008
【図７】
0003131848.tif 000009
【図８】
0003131848.tif 000010
【図９】
0003131848.tif 000011
【図１０】
0003131848.tif 000012